(57)【要約】【課題】紙軸の表面に簡単に印刷層を形成することができる紙シート、これを用いた紙軸および綿棒、並びに紙筒を提供する。【解決手段】短辺１ａ、１ｂと長辺１１ａ、１１ｂとからなる四辺形状の紙シート１であって、２つの短辺のうち一方の短辺の端部表面に印刷層２が設けられており、該印刷層が、インクジェット印刷層または電子写真印刷層であり、紙シート１を他方の短辺１ｂから一方の短辺１ａに向かって巻回して紙軸としたとき、印刷層３は紙軸の表面に位置する。綿棒は、紙軸と、この紙軸の一端または両端に取り付けられた繊維塊状部とを備える。【選択図】図１
0003232465.tif 000002
【実用新案登録請求の範囲】
【請求項１】
四辺形状の紙シートであって、互いに対向する２つの辺のうち一方の辺の端部表面に印刷層が設けられており、該印刷層が、インクジェット印刷層または電子写真印刷層であり、前記紙シートを他方の辺から前記一方の辺に向かって巻回して紙軸または紙筒としたとき、前記印刷層が前記紙軸の表面に位置することを特徴とする、紙シート。
【請求項２】
前記印刷層が、模様または文字である請求項１に記載の紙シート。
【請求項３】
前記印刷層が、耐水性インクの印刷層であり、前記一方の辺の端部表面の全体に形成されている請求項１に記載の紙シート。
【請求項４】
前記印刷層が形成される前記一方の辺の端部は、前記他方の辺に向かって、式：πＲ（式中、πは円周率を示し、Ｒは前記紙軸または前記紙筒の外径を示す）で表される長さの領域である請求項１ないし３のいずれかに記載の紙シート。
【請求項５】
請求項１ないし４のいずれかに記載の紙シートを、前記他方の辺から前記一方の辺に向かって巻回し、少なくとも前記一方の辺において前記紙シートの相対向する部位同士を接着してなる紙軸であって、表面に前記印刷層が位置していることを特徴とする紙軸。
【請求項６】
前記紙シートが２つの短辺と２つの長辺とからなる四辺形状であり、２つの前記短辺のうち一方の短辺の端部表面に印刷層が設けられており、前記紙シートを、前記他方の短辺から前記一方の短辺に向かって巻回する、請求項５に記載の紙軸。
【請求項７】
請求項５または６に記載の紙軸と、この紙軸の一端または両端に取り付けられた繊維塊状部とを備えた綿棒。
【請求項８】
請求項１ないし４のいずれかに記載の紙シートを、前記他方の辺から前記一方の辺に向かって筒状に巻回し、少なくとも前記一方の辺において前記紙シートの相対向する部位同士を接着してなる紙筒であって、表面に前記印刷層が位置していることを特徴とする紙筒。
【請求項９】
前記紙シートが２つの短辺と２つの長辺とからなる四辺形状であり、２つの前記長辺のうち一方の長辺の端部表面に印刷層が設けられており、前記紙シートを、前記他方の長辺から前記一方の長辺に向かって筒状に巻回する、請求項８に記載の紙筒。
【請求項１０】
ストローである、請求項８または９に記載の紙筒。
【考案の詳細な説明】
【技術分野】
【０００１】
本考案は、主として、家庭用、医療用、工業用等に使用される綿棒を製造するために使用する紙軸や、ストロー等に使用可能な紙筒を製造するために使用する紙シート、これを用いた紙軸および綿棒、並びにストロー等に使用可能な紙筒に関する。
【背景技術】
【０００２】
従来から、綿棒は、家庭等において、耳掃除等のために広く使用されている。また、医療用途においても、例えば、体液などの検体採取のために綿棒が使用されている。工業用途では、例えば、溶剤などの洗浄液を綿棒先端の繊維塊状部に含侵させて、精密機器等の清掃に使用されている。
【０００３】
このような綿棒は、通常、紙軸の一端または両端に、繊維を塊状に巻き付け接着した繊維塊状部が形成されている（特許文献１）。
綿棒は、軽量で嵩張らず価格も比較的安価であることから、企業等が自社製品またはサービスのノベルティとして使用することが多い。その際、綿棒の紙軸の表面に企業名や商品名またはサービス名を印刷できれば、高い広告宣伝効果が期待できる。
そのため、紙軸の表面に企業名や商品名等を印刷した綿棒が種々提案されている。しかし、細長い円柱形の紙軸に文字や模様を印刷するのは困難である。また、ノベルティは比較的少量生産であることが多いため、簡単に必要な数だけ印刷することが要望されている。
【０００４】
一方、紙軸は紙を原料としているために、水に触れると柔らかくなり、折れたりしやすいという特質がある。そのため、耐水性を付与した紙軸が求められている。
また、近時は、環境意識の高まりから、ストローの材質を天然素材である紙にすることが要望されているが、そのためにはストローとなる紙筒の耐水性を向上させることが必要になる。
【先行技術文献】
【特許文献】
【０００５】
【特許文献１】特開２００９-１００８９３号公報
【考案の開示】
【考案が解決しようとする課題】
【０００６】
本考案の課題は、紙軸や紙筒の表面に簡単に印刷層を形成することができる紙シート、これを用いた紙軸および綿棒、並びに紙筒を提供することである。
本考案の他の課題は、紙軸や紙筒に簡単に耐水性を付与することができる紙シート、これを用いた紙軸および綿棒、並びに紙筒を提供することである。
【課題を解決するための手段】
【０００７】
本考案の紙シートは、四辺形状の紙シートであって、互いに対向する２つの辺のうち一方の辺の端部表面に印刷層が設けられており、該印刷層が、インクジェット印刷層または電子写真印刷層であり、前記紙シートを他方の辺から前記一方の辺に向かって巻回して紙軸または紙筒としたとき、前記印刷層が前記紙軸の表面に位置することを特徴とし、特に紙軸または紙筒用の紙シートである。
【０００８】
本考案の紙軸は、上記紙シートを、他方の辺から一方の辺に向かって巻回し、少なくとも前記一方の辺において前記紙シートの相対向する部位同士を接着してなり、表面に印刷層が位置していることを特徴とする。
本考案の綿棒は、上記紙軸と、この紙軸の一端または両端に取り付けられた繊維塊状部とを備える。
本考案の紙筒は、上記紙シートを、他方の辺から一方の辺に向かって筒状に巻回し、少なくとも一方の辺において前記紙シートの相対向する部位同士を接着してなる紙軸であって、表面に前記印刷層が位置していることを特徴とする。
【考案の効果】
【０００９】
本考案の紙シートを使用すれば、表面に印刷層が形成されている紙軸または紙筒を簡単に作成することができる。また、印刷層に耐水性インクを使用すれば、簡単に紙軸や紙筒に耐水性を付与することができる。
【図面の簡単な説明】
【００１０】
【図１】本考案の一実施形態に係る紙軸用の紙シートの平面図である。
【図２】（ａ）は本考案の一実施形態に係る紙軸の製造過程を示す斜視図、（ｂ）は紙軸を示す斜視図である。
【図３】本考案の他の実施形態に係る紙筒用の紙シートの平面図である。
【図４】（ａ）は本考案の実施形態に係る紙筒の製造過程を示す斜視図、（ｂ）は紙筒を示す斜視図である。
【考案を実施するための形態】
【００１１】
以下、本考案の紙シートと、これを用いて得られる紙軸および綿棒、並びに紙筒を、図面を参照して説明する。図１は本考案の一実施形態に係る紙軸用の紙シート１を示している。
【００１２】
図１に示すように、本実施形態に係る紙シート１は、短辺１a、１ｂと長辺１１a、１１ｂとからなる四辺形状を有する。２つの短辺１a、１ｂのうち一方の短辺１aの端部Ｅには、表面に印刷層２が設けられている。紙シート１は、印刷層２が形成可能なものであれば、特に制限はなく、洋紙や和紙などが使用される。
【００１３】
印刷層２は、インクジェット印刷層または電子写真印刷層であるのがよい。インクジェット印刷および電子写真印刷はいずれも簡単に紙に模様や文字を印刷できるので、ノベルティのような比較的少量を印刷するのに適しており、簡単に必要な数だけ印刷することができる。
【００１４】
インクジェット印刷は、粒子化したインクをプリンター用紙に吐出させて印刷をするものである。インクジェット印刷には、例えば武藤工業（株）製のインクジェットプリンタ「ＶＪ-１６２７ＭＨ」等が使用可能である。
電子写真印刷方式は、コンピューターから送られてくる印刷データを画像イメージに組立て、そのイメージに従って感光体にレーザーを照射し、トナーを付着させ、これを加熱加圧してトナーを紙に定着させて印刷を行うものである。電子写真印刷としては、特にレーザープリンターを用いた印刷方式が代表例として挙げられる。
【００１５】
印刷層２としては、模様や文字のように短辺１aの端部Ｅ内に部分的に形成されていてもよく、あるいは短辺１aの端部Ｅ全面に形成されていてもよい。端部Ｅ全面に形成する印刷層２としては、例えば、１色または２色以上のインクまたはトナーで印刷する場合が挙げられる。また、端部Ｅ全面に形成する印刷層２の表面に、模様または文字である別の印刷層２を形成するというように、複数の積層された印刷層２を形成してもよい。
ここで、一方の短辺１ａの端部Ｅとは、紙シート１を他方の短辺１ｂから一方の短辺１aに向かって巻回したとき、得られた紙軸３（図２（b）参照）の少なくとも外周面となる部位である。具体的には、端部Ｅは、紙シート１の長辺１１ａ、１１ｂに沿って、少なくとも式：πＲ（式中、πは円周率を示し、Ｒは紙軸３の外径を示す）で表される長さの領域をいう。紙軸３の外径は、１ｍｍ以上５ｍｍ以下、好ましくは４ｍｍ以下であるのがよい。
【００１６】
次に、本考案の一実施形態に係る紙軸３を図２（a）、（ｂ）に基づいて説明する。図２（ａ）は紙軸３の製造過程を示しており、同図（ｂ）は、製造された紙軸３を示している。
図２（ａ）に示すように、紙軸３は、紙シート１を他方の短辺１ｂから一方の短辺１ａに向かって隙間なく密に巻回し接着して製造される。模様層２が形成された一方の短辺１ａの端部Ｅは、少なくとも、前記した式：πＲで表される長さの領域であるので、印刷層２は紙軸３の表面に位置することになる。
巻回される紙シート１は、事前に裏面全体に接着剤を塗布してもよいが、少なくとも、一方の短辺１ａの端部Ｅの裏面（印刷層２が形成された表面に対する裏面）に接着剤が塗布されていてもよい。
【００１７】
本考案では、端部Ｅ全面に耐水インクで印刷層２を形成してもよい。耐水インクとしては、着色材を含有したもの（例えば顔料インク等）や、着色材を含有しない無色透明ないし不透明なものであってもよい。耐水性インクの印刷層２を一方の短辺の端部Ｅの表面全体に形成すると、当該紙シート１を用いて得られる紙軸３に耐水性を付与することができる。
このような耐水性紙軸３は、水等の液体に接触するような用途、例えば液体に接する綿棒の他、飲料や塗料その他の薬液の撹拌棒、焼き鳥等の串等に使用するのに好適である。
【００１８】
本考案の綿棒は、紙軸３の一端または両端に繊維塊状部を取り付けたものである。繊維塊状部は、紙軸３の端部に繊維を巻き付け接着されて形成される。繊維塊状部の形状としては、例えば涙滴形、円柱形、球形、楕円形等が使用可能である。
【００１９】
繊維塊状部を形成する繊維としては、例えば、種々の天然繊維（綿、絹、羊毛等）、再生繊維（レーヨン、キュプラ等）または合成繊維（ポリエステル繊維、ポリプロピレン繊維等）などが挙げられるが、特に吸湿性のよい脱脂綿等の綿繊維が好適に使用される。これら繊維は単独で使用してもよく、２種以上を混合して使用してもよい。
また、繊維塊状部を紙軸３と接着する際に用いる接着剤としては、例えば、澱粉糊、ポリビニルアルコール、エチレン酢酸ビニル共重合体、カルボキシメチルセルロース等が挙げられる。
【００２０】
次に、本考案の他の実施形態に係る紙シート１０と、これを用いて得られる紙筒４を図３および図４（a）、（ｂ）に基づいて説明する。
図３に示すように、紙シート１０は、前記と同様に、短辺１a、１ｂと長辺１１ａ、１１ｂとからなる四辺形状を有する。本実施形態では、２つの長辺１１ａ、１１ｂのうち一方の長辺１１ａの端部Ｅ´には、表面に印刷層２が設けられている。
【００２１】
端部Ｅ´は、紙シート１を他方の長辺１１ｂから一方の長辺１１ａに向かって巻回したとき、得られた紙筒４（図４（b）参照）の少なくとも外周面となる部位である。具体的には、端部Ｅは、紙シート１の一方の長辺１１ａから他方の長辺１１ｂに向かって、少なくとも式：πＲ（式中、πは円周率を示し、Ｒは紙筒４の外径を示す）で表される長さの領域をいう。紙筒４の外径は、３ｍｍ以上１０ｍｍ以下であるのがよい。
【００２２】
図４（ａ）は紙筒４の製造過程を示しており、同図（ｂ）は、製造された紙筒４を示している。図４（ａ）に示すように、紙筒４は、紙シート１０を他方の長辺１１ｂから一方の長辺１１ａに向かって筒状に巻回し、少なくとも一方の短辺において紙シート１０の相対向する部位同士を接着して製造される。
このとき、模様層２が形成された一方の短辺１ａの端部Ｅは、少なくとも、前記した式：πＲで表される長さの領域であるので、印刷層２は紙軸３の表面に位置することになる。
巻回される紙シート１０は、事前に裏面全体に接着剤を塗布してもよいが、少なくとも、一方の短辺１ａの端部Ｅの裏面（印刷層２が形成された表面に対する裏面）に接着剤が塗布されていてもよい。
紙シート１０の巻回数は、例えば１回以上１０回以下であるのがよいが、それ以上であってもよい。
【００２３】
紙筒４の印刷層２としては、１色または２色以上の耐水性インクの印刷層であるのがよく、特に一方の長辺１１ａの端部Ｅ´の全面に耐水性インクの印刷層を形成するのが、耐水性を付与するうえで好ましい。また、耐水性インクの印刷層の表面に模様または文字の印刷層を設けてもよい。
このようにして得られる紙筒４は、耐水性を有しているので、例えばストローとして好適に使用可能である。
【００２４】
以上、本考案の実施形態を説明したが、本考案は以上の実施形態に限定されるものではなく、本考案の範囲内で種々の変更や改善が可能である。
【符号の説明】
【００２５】
１，１０    紙シート
１ａ、１ｂ  短辺
１１ａ、１１ｂ  長辺
２    模様層
３    紙軸
４    紙筒
Ｅ    端部
【図１】
0003232465.tif 000003
【図２】
0003232465.tif 000004
【図３】
0003232465.tif 000005
【図４】
0003232465.tif 000006